(57)【要約】【課題】  第１ユーザの商用電力系統からの受電電力量を示す時系列の電力データの第２ユーザへの有償提供を支援する電力データ仲介システムを提供する。【解決手段】  電力データ仲介システム１は、第１ユーザ端末２１から電力データに関する基本情報と電力データを受信しデータ記憶部１４に保存するデータ入力処理部１１と、第２ユーザの閲覧請求に応じて、データ記憶部１４に保存された全てまたは一部の第１ユーザの基本情報と電力データの識別情報を含む第１基本情報閲覧データを、第１ユーザを特定不能に作成して第２ユーザ端末２２に送信し、電力データの識別情報と対価の支払いを示す対価データを伴う第２ユーザのデータ取得請求に応じて、対応する電力データをデータ記憶部１４から読み出して第２ユーザ端末２２に送信し、データ取得請求に係る電力データの提供者である第１ユーザの第１ユーザ端末２１に対価データを送信するデータ出力処理部１２を備える。【選択図】  図１
2019159980.tif 000002
【特許請求の範囲】
【請求項１】
電力需要家である第１ユーザの商用電力系統からの受電電力量を示す時系列の電力データの前記第１ユーザから前記電力データの利用者である第２ユーザへの有償提供を支援するデータ処理を行う電力データ仲介システムであって、データ入力処理部とデータ出力処理部とデータ記憶部を備えて構成され、
前記データ入力処理部が、
複数の前記第１ユーザの第１ユーザ端末から各別に、前記電力データに関する複数の属性情報を備えて構成される基本情報、及び、前記電力データを、所定のデータ通信網を介して受信し、前記データ記憶部に保存するように構成され、
前記データ出力処理部が、
前記データ通信網を介して受信した前記第２ユーザの閲覧請求に応じて、前記データ記憶部に保存されている全ての前記第１ユーザの前記基本情報、または、前記複数の属性情報の少なくとも一部に基づいて選別された一部の前記第１ユーザの基本情報と、前記電力データの識別情報とを含む所定の表示形式の第１基本情報閲覧データを、前記電力データの提供者である前記第１ユーザを特定不能に作成して、前記閲覧請求を行った前記第２ユーザの第２ユーザ端末に、前記データ通信網を介して送信し、
前記データ通信網を介して受信した前記電力データの識別情報と対価の支払いを示す対価データを伴う前記第２ユーザのデータ取得請求に応じて、前記データ取得請求に含まれる前記識別情報に対応する前記電力データを、前記データ記憶部から読み出して、前記データ取得請求を行った前記第２ユーザの第２ユーザ端末に、前記データ通信網を介して送信し、
前記データ取得請求に応じて送信された前記電力データの提供者である前記第１ユーザの第１ユーザ端末に、前記対価データを、前記データ通信網を介して送信するように構成されていることを特徴とする電力データ仲介システム。
【請求項２】
前記基本情報が、前記第１ユーザが設定した前記電力データのデータ提供料金を含むことを特徴とする請求項１に記載の電力データ仲介システム。
【請求項３】
前記データ出力処理部が、更に、前記データ通信網を介して受信した前記第１ユーザの閲覧請求に応じて、前記データ記憶部に保存されている全ての前記第１ユーザの前記基本情報、または、前記複数の属性情報の少なくとも一部に基づいて選別された一部の前記第１ユーザの基本情報を含む所定の表示形式の第２基本情報閲覧データを、前記電力データの提供者である前記第１ユーザを特定不能に作成して、前記閲覧請求を行った前記第１ユーザの第１ユーザ端末に、前記データ通信網を介して送信するように構成されていることを特徴とする請求項１または２に記載の電力データ仲介システム。
【請求項４】
前記データ出力処理部が、更に、前記データ通信網を介して受信した前記第１ユーザの参考値出力請求に応じて、前記第２基本情報閲覧データに含まれる全てまたは一部の前記第１ユーザの基本情報の内の前記属性情報の１つであるデータ提供料金の所定の統計値を参考値として計算して、前記参考値出力請求を行った前記第１ユーザの第１ユーザ端末に、前記データ通信網を介して送信するように構成されていることを特徴とする請求項３に記載の電力データ仲介システム。
【請求項５】
前記第２基本情報閲覧データが、前記電力データを前記第２ユーザに提供した回数を含むことを特徴とする請求項３または４に記載の電力データ仲介システム。
【請求項６】
前記基本情報が、受電区域と受電契約内容を含むことを特徴とする請求項１〜５の何れか１項に記載の電力データ仲介システム。
【請求項７】
前記第１ユーザが、一般家庭ユーザの場合、前記基本情報が、住居の種類、家族構成、保有電気機器の少なくとも何れか１つを含むことを特徴とする請求項１〜６の何れか１項に記載の電力データ仲介システム。
【請求項８】
前記データ出力処理部が、更に、前記データ通信網を介して受信した前記第２ユーザのサービス提案請求に応じて、前記サービス提案請求に含まれるサービス提案に係る情報を、前記サービス提案請求に含まれる前記電力データの前記識別情報に対応する前記第１ユーザの第１ユーザ端末に、前記データ通信網を介して送信するように構成されていることを特徴とする請求項１〜７の何れか１項に記載の電力データ仲介システム。
【請求項９】
前記第１ユーザ及び前記第２ユーザの対価の受払い用の口座の入出金及び残高を管理する口座データベースと、
前記対価データに基づいて、前記口座データベース内の前記データ取得請求を行った前記第２ユーザの口座から、前記電力データの提供者である前記第１ユーザの口座への対価の移動処理を行う対価データ処理部を、更に備えることを特徴とする請求項１〜８の何れか１項に記載の電力データ仲介システム。
【請求項１０】
前記電力データが、過去１年以上の３０分毎の受電電力量の時系列データであることを特徴とする請求項１〜９の何れか１項に記載の電力データ仲介システム。
【発明の詳細な説明】
【技術分野】
【０００１】
本発明は、電力需要家である第１ユーザから電力データの利用者である第２ユーザへの、第１ユーザの商用電力系統から受電した電力量を示す時系列の電力データの有償提供を支援するデータ処理を行う電力データ仲介システムに関する。
【背景技術】
【０００２】
電力需要家（例えば、一般家庭、工場、オフィスビル、等）の商用電力系統から受電した電力量を示す時系列の電力データは、例えば、電力需要家において省エネルギ対策を行う場合において、当該省エネルギ対策を提供するエネルギサービスプロバイダ（ＥＳＰ事業者）等が、電力需要家のエネルギ消費の実情を把握して、適切な省エネルギ対策を提案するための基礎情報として利用される（例えば、下記の特許文献１及び２等参照）。
【０００３】
一方、商用電力系統の需給逼迫を抑制するために、電力需要家が要請に応じて商用電力系統から供給される電力を削減するデマンドレスポンスの活用が検討されており、電力需要家における上記時系列の電力データは、デマンドレスポンスの実行において必須のデータである（例えば、下記の特許文献３等参照）。
【先行技術文献】
【特許文献】
【０００４】
【特許文献１】特開２０１７−９５６５号公報
【特許文献２】特開２００７−２２８７４２号公報
【特許文献３】特開２０１３−９５６５号公報
【発明の概要】
【発明が解決しようとする課題】
【０００５】
しかしながら、電力需要家の上記電力データは、当該電力需要家に電力供給を行っている電力事業者は把握しているものの、当該電力事業者以外のＥＳＰ事業者或いはデマンドレスポンスを実施したい事業者（アグリゲータ等）には公開されていないデータである。従って、電力需要家に対して、新たに省エネルギ対策の提案、或いは、デマンドレスポンスの実施を行いたい事業者にとって、当該電力需要家の電力データを事前に入手できれば、当該新たな事業への参入にとって好都合である。つまり、電力需要家の上記電力データに対する需要が存在する。
【０００６】
一方で、電力需要家は、自身の上記電力データは当然に入手可能であるため、当該電力データをこれを必要とする事業者に有償で提供することは可能であるが、自身の電力データを実際にそれを必要とする事業者に提供できる手段は存在していない。また、省エネルギ対策の提案を受けたい電力需要家や、デマンドレスポンスに参加した電力需要家であっても、当該ニーズに対応可能な事業者と出会う機会も、一般には存在していない。
【０００７】
本発明は、上述の問題点に鑑みてなされたものであり、その目的は、電力需要家である第１ユーザから電力データの利用者である第２ユーザへの、第１ユーザの商用電力系統からの受電電力量を示す時系列の電力データの有償提供を支援するデータ処理を行う電力データ仲介システムを提供することにある。
【課題を解決するための手段】
【０００８】
上記目的を達成するために、本発明に係る電力データ仲介システムは、電力需要家である第１ユーザの商用電力系統からの受電電力量を示す時系列の電力データの前記第１ユーザから前記電力データの利用者である第２ユーザへの有償提供を支援するデータ処理を行う電力データ仲介システムであって、データ入力処理部とデータ出力処理部とデータ記憶部を備えて構成され、
前記データ入力処理部が、複数の前記第１ユーザの第１ユーザ端末から各別に、前記電力データに関する複数の属性情報を備えて構成される基本情報、及び、前記電力データを、所定のデータ通信網を介して受信し、前記データ記憶部に保存するように構成され、
前記データ出力処理部が、前記データ通信網を介して受信した前記第２ユーザの閲覧請求に応じて、前記データ記憶部に保存されている全ての前記第１ユーザの前記基本情報、または、前記複数の属性情報の少なくとも一部に基づいて選別された一部の前記第１ユーザの基本情報と、前記電力データの識別情報とを含む所定の表示形式の第１基本情報閲覧データを、前記電力データの提供者である前記第１ユーザを特定不能に作成して、前記閲覧請求を行った前記第２ユーザの第２ユーザ端末に、前記データ通信網を介して送信し、前記データ通信網を介して受信した前記電力データの識別情報と対価の支払いを示す対価データを伴う前記第２ユーザのデータ取得請求に応じて、前記データ取得請求に含まれる前記識別情報に対応する前記電力データを、前記データ記憶部から読み出して、前記データ取得請求を行った前記第２ユーザの第２ユーザ端末に、前記データ通信網を介して送信し、前記データ取得請求に応じて送信された前記電力データの提供者である前記第１ユーザの第１ユーザ端末に、前記対価データを、前記データ通信網を介して送信するように構成されていることを第１の特徴とする。
【０００９】
上記第１の特徴の電力データ仲介システムによれば、データ出力処理部が、第１ユーザが提供する電力データの基本情報の全てまたはその一部を、電力データの提供者である第１ユーザを特定不能にして、第２ユーザに提示することができるため、第２ユーザは、提示された基本情報に基づいて取得したい電力データを選別して取得することができ、一方、第１ユーザは、匿名で電力データを提供して、その対価を得ることができる。
【００１０】
第１ユーザにとっては、匿名で電力データを提供してその対価を得ることができるため、多くの第１ユーザに対し、上記第１の特徴の電力データ仲介システムを通して電力データを公開する動機付けとなり、第２ユーザは、不特定多数の第１ユーザの電力データを簡易に収集することができる。これにより、第２ユーザは、不特定多数の第１ユーザの中から省エネルギ対策の提案、或いは、デマンドレスポンスの実施等のサービスを提供したい電力需要家を容易に見付け出すことができ、当該サービスを申し出る機会が得られる。
【００１１】
ここで、第１基本情報閲覧データを第１ユーザを特定不能に作成するということは、第２ユーザが閲覧する第１基本情報閲覧データ内に、第１ユーザを特定できる個人情報（氏名、名称、住所、電話番号、メールアドレス等）が含まれていないことを意味している。
【００１２】
また、複数の属性情報の少なくとも一部に基づいて選別された一部の第１ユーザの基本情報とは、第１ユーザの数が多い場合に、第２ユーザが第１基本情報閲覧データに基づいて一定数の電力データを選別することが困難場合が想定されるため、予め、第２ユーザが関心のある第１ユーザを複数の属性情報の少なくとも一部に基づいて絞り込んで第１基本情報閲覧データを作成することを意味し、これにより、第２ユーザによる当該選別作業を容易化できる。
【００１３】
更に、上記第１の特徴の電力データ仲介システムは、前記基本情報が、前記第１ユーザが設定した前記電力データのデータ提供料金を含むことを第２の特徴とする。
【００１４】
上記第２の特徴の電力データ仲介システムによれば、電力データを提供する第１ユーザが電力データのデータ提供料金を設定して、基本情報の一部として、第２ユーザに向けて開示できる。これにより、第２ユーザは、開示されたデータ提供料金を参考にして、取得すべき電力データを選別することができる。
【００１５】
更に、上記第１または第２の特徴の電力データ仲介システムは、前記データ出力処理部が、更に、前記データ通信網を介して受信した前記第１ユーザの閲覧請求に応じて、前記データ記憶部に保存されている全ての前記第１ユーザの前記基本情報、または、前記複数の属性情報の少なくとも一部に基づいて選別された一部の前記第１ユーザの基本情報を含む所定の表示形式の第２基本情報閲覧データを、前記電力データの提供者である前記第１ユーザを特定不能に作成して、前記閲覧請求を行った前記第１ユーザの第１ユーザ端末に、前記データ通信網を介して送信するように構成されていることを第３の特徴とする。
【００１６】
上記第３の特徴の電力データ仲介システムによれば、第１ユーザが、他の第１ユーザがどのような電力データを提供しているのかを知ることができ、他の第１ユーザとの相対的な関係を把握することができる。特に、第１ユーザが、電力データのデータ提供料金を自ら設定して基本情報に含める実施態様では、他の第１ユーザの設定しているデータ提供料金を知ることができる。
【００１７】
ここで、第２基本情報閲覧データを第１ユーザを特定不能に作成するということは、第１ユーザが閲覧する第２基本情報閲覧データ内に、第１ユーザを特定できる個人情報（氏名、名称、住所、電話番号、メールアドレス等）が含まれていないことを意味している。
【００１８】
更に、上記第３の特徴の電力データ仲介システムは、前記データ出力処理部が、更に、前記データ通信網を介して受信した前記第１ユーザの参考値出力請求に応じて、前記第２基本情報閲覧データに含まれる全てまたは一部の前記第１ユーザの基本情報の内の前記属性情報の１つであるデータ提供料金の所定の統計値を参考値として計算して、前記参考値出力請求を行った前記第１ユーザの第１ユーザ端末に、前記データ通信網を介して送信するように構成されていることが好ましい。
【００１９】
上記好適な実施態様によれば、全てまたは一部の第１ユーザの基本情報に含まれるデータ提供料金の平均値、最大値、最小値、中央値、最頻値等の統計値を参考値として知ることができるため、自身が設定したデータ提供料金が、他の第１ユーザのデータ提供料金に対して高いか低いかの相対的な関係が把握できる。これにより、第１ユーザは、自身が設定したデータ提供料金を修正して、既に登録した基本情報を更新することができる。
【００２０】
更に、上記第３の特徴の電力データ仲介システムは、前記第２基本情報閲覧データが、前記電力データを前記第２ユーザに提供した回数を含むことが好ましい。
【００２１】
上記好適な実施態様によれば、第２基本情報閲覧データの閲覧請求を行った第１ユーザは、自身も含めて第２ユーザへの電力データの提供回数の多い第１ユーザの基本情報と自身の基本情報との差異を確認することができる。特に、基本情報にデータ提供料金が含まれている場合は、データ提供料金の多寡と電力データの提供回数との間の関係を確認することができ、自身が設定したデータ提供料金を修正して、既に登録した基本情報を更新することができる。
【００２２】
更に、上記第１乃至第３の何れかの特徴の電力データ仲介システムは、前記基本情報が、受電区域と受電契約内容を含むことが好ましい。
【００２３】
上記好適な実施態様によれば、第２ユーザは、第１基本情報閲覧データの基本情報に含まれる受電区域と受電契約内容の少なくとも何れか一方に基づいて、取得したい電力データを選別して取得することができる。
【００２４】
更に、上記第１乃至第３の何れかの特徴の電力データ仲介システムは、前記第１ユーザが、一般家庭ユーザの場合、前記基本情報が、住居の種類、家族構成、保有電気機器の少なくとも何れか１つを含むことが好ましい。
【００２５】
上記好適な実施態様によれば、第２ユーザは、第１基本情報閲覧データの基本情報に含まれる住居の種類、家族構成、及び、保有電気機器の少なくとも何れか１つに基づいて、取得したい電力データを選別して取得することができる。
【００２６】
更に、上記第１乃至第３の何れかの特徴の電力データ仲介システムは、前記データ出力処理部が、更に、前記データ通信網を介して受信した前記第２ユーザのサービス提案請求に応じて、前記サービス提案請求に含まれるサービス提案に係る情報を、前記サービス提案請求に含まれる前記電力データの前記識別情報に対応する前記第１ユーザの第１ユーザ端末に、前記データ通信網を介して送信するように構成されていることを第４の特徴とする。
【００２７】
上記第４の特徴の電力データ仲介システムによれば、第２ユーザは、匿名の第１ユーザに対して、当該第１ユーザの電力データに基づいて提案できるサービス内容を容易に申し出ることができる。
【００２８】
更に、上記第１乃至第４の何れかの特徴の電力データ仲介システムは、前記第１ユーザ及び前記第２ユーザの対価の支払い用の口座の入出金及び残高を管理する口座データベースと、前記対価データに基づいて、前記口座データベース内の前記データ取得請求を行った前記第２ユーザの口座から、前記電力データの提供者である前記第１ユーザの口座への対価の移動処理を行う対価データ処理部を、更に備えることを第５の特徴とする。
【００２９】
上記第５の特徴の電力データ仲介システムによれば、第１ユーザの匿名性を担保して、電力データを取得した第２ユーザから、電力データを提供した第１ユーザへの対価の支払いを実現できる。
【００３０】
更に、上記第１乃至第５の何れかの特徴の電力データ仲介システムは、前記電力データが、過去１年以上の３０分毎の受電電力量の時系列データであることが好ましい。
【００３１】
上記好適な実施態様によれば、第２ユーザは、省エネルギ対策の提案、或いは、デマンドレスポンスの実施等のサービスを提供したい電力需要家を特定するのに必要な電力データを得ることができる。
【発明の効果】
【００３２】
本発明に係る電力データ仲介システムによれば、第２ユーザは、第１ユーザから提示された基本情報に基づいて取得したい第１ユーザの電力データを選別して取得することができ、第１ユーザは、第２ユーザに匿名で電力データを提供して、その対価を得ることができ、電力データの提供を介して第１ユーザと第２ユーザの間を仲介することができる。
【図面の簡単な説明】
【００３３】
【図１】電力データ仲介システムの一構成例を模式的に示すブロック図。
【図２】データ入力処理におけるデータ入力処理部と第１ユーザ端末の処理手順の一例の概略を示すフローチャート。
【図３】第１基本情報閲覧データ送信処理におけるデータ出力処理部と第２ユーザ端末の処理手順の一例の概略を示すフローチャート。
【図４】第２基本情報閲覧データ送信処理におけるデータ出力処理部と第１ユーザ端末の処理手順の一例の概略を示すフローチャート。
【図５】電力データ送信処理におけるデータ出力処理部と第２ユーザ端末の処理手順の一例の概略を示すフローチャート。
【図６】対価データ送信処理におけるデータ出力処理部と第１ユーザ端末の処理手順の一例の概略を示すフローチャート。
【図７】対価データ処理部が実行する対価移動処理と、データ出力処理部が実行する電力データ送信処理及び対価データ送信処理との間の前後関係を示すフローチャート。
【図８】サービス提案送信処理におけるデータ出力処理部と第１ユーザ端末と第２ユーザ端末の処理手順の一例の概略を示すフローチャート。
【発明を実施するための形態】
【００３４】
以下、本発明に係る電力データ仲介システム（以下、適宜「本システム」と略称する）の実施形態を、図面を参照して説明する。
【００３５】
［本システムの構成例］
本システム１は、電力需要家である第１ユーザから電力データの利用者である第２ユーザへの、第１ユーザの商用電力系統から受電した電力量を示す時系列の電力データの有償提供を支援するデータ処理を行うように構成されている。
【００３６】
本実施形態では、本システム１を利用するユーザは、本システム１のデータ処理の対象となる電力データを提供する側の第１ユーザと利用する側の第２ユーザに二分される。第１ユーザは、商用電力系統から電力の供給を受け、上記時系列の電力データを提供できる電力需要家であれば、特定の種類の電力需要家に限定されるものではなく、例えば、一般家庭や個人事業主等の個人、工場やオフィスビル等の事業体（法人）、等が想定される。第２ユーザは、本システム１を介して上記時系列の電力データの有償提供を希望するユーザであれば、特定の種類のユーザに限定されるものではなく、例えば、電力小売事業者、ＥＳＰ事業者、家電量販店、電気機器メーカ、等の事業体（法人）が想定される。
【００３７】
図１に示すように、本システム１は、データ入力処理部１１、データ出力処理部１２、対価データ処理部１３、データ記憶部１４、及び、口座データベース１５を備えて構成される。
【００３８】
データ入力処理部１１は、複数の第１ユーザＵ１の第１ユーザ端末２１から各別に、電力データに関する複数の属性情報を備えて構成される基本情報、及び、電力データを、所定のデータ通信網２０を介して受信し、データ記憶部１４に保存する処理（データ入力処理）を実行するように構成されている。
【００３９】
電力データは、各第１ユーザＵ１が、夫々が受電契約した電力事業者から受電した３０分毎の電力量（受電電力量）の過去１年以上の時系列データである。時系列データは、一例として、１カ月単位の時系列データの過去１２カ月以上分で構成される。時系列データのファイル形式は、特定のファイル形式に限定されるものではないが、例えば、表計算ソフトウェア及びデータベースソフトウェアに取り込んで使用できるＣＳＶ（Ｃｏｍｍａ  Ｓｅｐａｒａｔｅｄ  Ｖａｌｕｅ）形式等が利用できる。
【００４０】
基本情報に含まれる電力データに関する属性情報としては、例えば、受電区域、受電契約内容、電力データのデータ提供料金、電力データの構成期間、等が含まれる。受電区域は、第１ユーザが商用電力系統から電力を受電している場所を示し、例えば、日本の電気事業法で定められた一般送配電事業者の供給区域、或いは、都道府県名、等を指定する。受電契約内容は、電力事業者との間の契約種別（料金メニュー）であり、例えば、電力事業者名と契約種別（料金メニュー）を指定する。契約種別によって、第１ユーザが個人と法人の何れであるかが概ね分かり、更に、法人である場合の業種も或る程度分かる。しかし、基本情報に、法人の正確な業種も含まれているのが好ましい場合は、属性情報としては業種を含めるようにしてもよい。更に、第１ユーザが一般家庭ユーザの場合、基本情報に、住居の種類、家族構成、保有電気機器、等の情報も含まれているのが好ましい場合は、属性情報として、住居の種類、家族構成、保有電気機器の少なくとも何れか１つを含めるようにしてもよい。データ提供料金は、一例として、１２カ月分の電力データの単価で示され、電力データの構成期間が２４カ月の場合は、２４カ月分の電力データの対価は、当該単価の２倍となる。電力データの構成期間は、電力データを構成する期間の長さ（開始年月と終了年月）を指定する。尚、基本情報を構成する属性情報の内容及び数は、必ずしも、上記属性情報に限定されるものではない。基本情報に多くの属性情報が含まれている方が、電力データを利用する第２ユーザは、第１ユーザに対して種々のサービスの提案が容易になる。
【００４１】
基本情報は、後述する第１基本情報閲覧データ送信処理において、第２ユーザ端末２２上に表示される第１基本情報閲覧画面上において、不特定多数の第２ユーザＵ２の閲覧に供され、更に、第２基本情報閲覧データ送信処理において、第１ユーザ端末２１上に表示される第２基本情報閲覧画面上において、不特定多数の第１ユーザＵ１の閲覧に供されるため、基本情報には、当該基本情報を提供する第１ユーザＵ１の個人情報は含まれていない。よって、当該基本情報の公開によって、第１ユーザＵ１の匿名性が阻害または毀損されることはない。
【００４２】
データ出力処理部１２は、第１基本情報閲覧データ送信処理、第２基本情報閲覧データ送信処理、電力データ送信処理、対価データ送信処理、及び、サービス提案送信処理を実行するように構成されている。各データ送信処理の詳細については後述する。
【００４３】
対価データ処理部１３は、後述する電力データ送信処理において、データ出力処理部１２が第２ユーザＵ２の第２ユーザ端末２２から受信するデータ取得請求に含まれる対価データに基づいて、口座データベース１５内のデータ取得請求を行った第２ユーザＵ２の口座から、電力データの提供者である第１ユーザＵ１の口座への対価の移動処理を実行するように構成されている。対価データは、電力データの取得に伴う対価の支払いを示すデータであり、一例として、第１ユーザＵ１への対価の支払額が示されている。
【００４４】
データ入力処理部１１、データ出力処理部１２、及び、対価データ処理部１３は、ＣＰＵ（Ｃｅｎｔｒａｌ  Ｐｒｏｃｅｓｓｉｎｇ  Ｕｎｉｔ）等の演算装置及び半導体メモリ等の記憶装置、及び、通信装置、等を備えた一般的なコンピュータシステム上に構成される。具体的には、各処理部１１〜１３が実行する処理は、夫々の具体的な処理内容を記述したコンピュータプログラムのプログラムコードが、上記記憶装置の記憶領域内に格納され、上記演算装置が当該プログラムを実行することで、実行される。
【００４５】
本実施形態では、データ通信網２０としてインターネットを想定し、データ入力処理部１１とデータ出力処理部１２によって使用される上記通信装置は、インターネット２０を介して、各第１ユーザ端末２１及び各第２ユーザ端末２２と、所定の通信プロトコルでデータ送受信が可能な通信装置（ハードウェア及びソフトウェア）である。
【００４６】
データ記憶部１４は、例えば、ＨＤＤ（ハードディスクドライブ）及びＳＳＤ（ソリッドステートディスク）等の大容量のデータを不揮発的に記憶可能な記憶装置等を備え、上記演算装置からの制御により、データの書き込み、読み出し、検索等が可能に構成されている。
【００４７】
口座データベース１５は、第１ユーザＵ１及び第２ユーザＵ２の対価の受払い用の口座の入出金及び残高を記録して管理するためのデータベースである。口座データベース１５は、データ記憶部１４と同様に、例えば、ＨＤＤ及びＳＳＤ等の大容量のデータを不揮発的に記憶可能な記憶装置等を備え、上記演算装置からの制御により、データの書き込み、読み出し、検索等が可能に構成されている。第１ユーザＵ１の口座は、第２ユーザＵ２からの対価の支払いを受け取るための口座である。第２ユーザＵ２の口座は、第１ユーザＵ１への対価の支払いを行うための口座であり、予め一定額が予納されている場合を想定し、第２ユーザＵ２は、予納残高を限度に電力データの取得が可能となる。
【００４８】
また、本システム１は、ＷＥＢサーバシステムとして構成されており、第１ユーザＵ１及び第２ユーザＵ２が、夫々の第１ユーザ端末２１及び第２ユーザ端末２２からインターネット２０を介して、所定のＵＲＬ（ｕｎｉｆｏｒｍ  ｒｅｓｏｕｒｃｅ  ｌｏｃａｔｏｒ）を指定してアクセス可能に構成されており、データ入力処理部１１とデータ出力処理部１２は、当該アクセスに対して、所定のＷＥＢ表示画面データを、アクセスした第１または第２ユーザＵ１，Ｕ２の各ユーザ端末２１，２２に向けて送信し、当該ユーザ端末２１，２２にインストールされているＷＥＢデータ表示用のブラウザソフトウェアによって、当該ユーザ端末２１，２２の表示画面上に上記ＷＥＢ表示画面が表示され、当該表示画面上において第１または第２ユーザＵ１，Ｕ２によって入力された情報（データ）が、ユーザ端末２１，２２から、インターネット２０を介して、本システム１に向けて送信され、データ入力処理部１１またはデータ出力処理部１２が当該情報（データ）を受信して、データ記憶部１４に保存、或いは、後述する各種データ送信処理を実行するように構成されている。
【００４９】
第１及び第２ユーザ端末２１，２２は、インターネット２０へのアクセスが可能で、インターネット２０上のＷＥＢサイトにアクセスして、当該ＷＥＢページ画面を自身の表示画面上に表示可能な一般的なコンピュータシステムであって、パーソナルコンピュータ及びタブレット端末等が想定される。
【００５０】
［本システムの処理内容］
次に、本システム１の各処理部１１〜１３が実行する各処理内容について、図面を参照して説明する。尚、以下の説明では、各第１ユーザＵ１及び各第２ユーザＵ２は、夫々、本システム１への登録手続きは完了しており、本システム１のＷＥＢサイトにアクセスするための、ユーザＩＤ及び認証手続きに必要なパスワード等は設定済みであり、他の第１ユーザＵ１及び第２ユーザＵ２には公開されない本システム１の運用上必要な個人情報も登録済みである場合を想定し、当該登録手続きについては、説明を省略する。また、本システム１と第１ユーザ端末２１間のデータ送受信、及び、本システム１と第２ユーザ端末２２間のアクセス及びデータ送受信は、全てデータ通信網（インターネット）２０を介して実施されるため、適宜、その旨を省略して説明する。更に、データ送受信は、データの送信側で所定の方式による暗号化処理が施され、データの受信側で当該方式に適合した復号化処理が行われる場合を想定し、以下の説明では、当該暗号化及び復号化処理の説明は省略する。
【００５１】
［データ入力処理］
図２は、データ入力処理（ステップ＃１０）における、本システム１のデータ入力処理部１１の処理内容と、データ入力処理部１１と第１ユーザ端末２１との間のデータの送受信を、時系列に示すフローチャートである。
【００５２】
データ入力処理（ステップ＃１０）では、先ず、各第１ユーザＵ１が各自の第１ユーザ端末２１から所定のＵＲＬを指定して本システム１にアクセスして、所定のユーザ認証手続き後に、所定のデータ入力処理用のＷＥＢページにアクセスする（ステップ＃２０１）と、データ入力処理部１１が、当該アクセスに応答して、基本情報の作成画面データを、アクセスした第１ユーザＵ１の第１ユーザ端末２１に送信する（ステップ＃１０１）。
【００５３】
第１ユーザ端末２１で、ＷＥＢページ表示用のブラウザソフトウェアによって、当該基本情報の作成画面データが処理され、第１ユーザ端末２１の表示画面上に当該基本情報の作成用画面が表示される（ステップ＃２０２）。第１ユーザＵ１は、当該作成用画面上から、属性情報の必須入力項目（受電区域、受電契約内容、電力データのデータ提供料金、電力データの構成期間）を、当該入力項目の入力スペースに、直接またはプルダウンメニューで表示される選択肢を選択して入力する（ステップ＃２０３）。更に、第１ユーザＵ１は、当該作成用画面上から、属性情報の任意入力項目（法人ユーザの場合：業種、一般家庭ユーザの場合：住居の種類、家族構成、保有電気機器、等）を、必要に応じて、直接またはプルダウンメニューで表示される選択肢を選択して入力する（ステップ＃２０４）。第１ユーザＵ１は、属性情報の当該入力作業が終了すると、当該作成用画面上において、提供する電力データファイルの第１ユーザ端末２１内での格納場所を指定し、当該入力した複数の属性情報からなる基本情報と、電力データファイルを、本システム１に送信する（ステップ＃２０５）。
【００５４】
データ入力処理部１１は、第１ユーザ端末２１から送信された基本情報（入力された複数の属性情報）と電力データファイルを受信すると（ステップ＃１０２）、受信した基本情報と電力データファイルを、共通のデータ識別情報または第１ユーザＵ１のユーザＩＤを付して、データ記憶部１４に保存する（ステップ＃１０３）。データ識別情報は、例えば、第１ユーザＵ１のユーザＩＤとデータの受信日時で構成される。第１ユーザＵ１のユーザＩＤを付した場合は、当該ユーザＩＤが、電力データのデータ識別情報として機能する。以下、電力データのデータ識別情報と第１ユーザＵ１のユーザＩＤを総称して、「電力データのデータ識別情報」と称する。
【００５５】
データ入力処理部１１の上記データ入力処理（ステップ＃１０）は、各第１ユーザＵ１が、上記ステップ＃２０１の処理を開始する毎に、各別に実行される。
【００５６】
［第１基本情報閲覧データ送信処理］
図３は、第１基本情報閲覧データ送信処理（ステップ＃１１）における、本システム１のデータ出力処理部１２の処理内容と、データ出力処理部１２と第２ユーザ端末２２との間のデータの送受信を、時系列に示すフローチャートである。
【００５７】
第１基本情報閲覧データ送信処理（ステップ＃１１）は、データ出力処理部１２が、データ通信網２０を介して受信した第２ユーザＵ２の閲覧請求に応じて、データ記憶部１４に保存されている全ての第１ユーザＵ１の基本情報、または、複数の属性情報の少なくとも一部に基づいて選別された一部の第１ユーザＵ１の基本情報と、電力データのデータ識別情報とを含む第１基本情報閲覧データを、当該閲覧請求を行った第２ユーザＵ２の第２ユーザ端末２２に、データ通信網２０を介して送信する処理である。
【００５８】
具体的には、先ず、各第２ユーザＵ２が各自の第２ユーザ端末２２から所定のＵＲＬを指定して本システム１にアクセスして、所定のユーザ認証手続き後に、所定の第１基本情報閲覧用のＷＥＢページにアクセスする（ステップ＃３１１）と、データ出力処理部１２が、アクセス時点までに実行された全てのデータ入力処理でデータ記憶部１４に保存された全ての第１ユーザＵ１の基本情報と、各基本情報に付されている電力データのデータ識別情報を、第１ユーザＵ１別に表形式で一覧表示する第１基本情報閲覧データを、一般的なＷＥＢページ表示用のブラウザソフトウェアで表示可能なデータ形式で作成し（ステップ＃１１１）、アクセスした第２ユーザＵ２の第２ユーザ端末２２に送信する（ステップ＃１１２）。
【００５９】
第２ユーザ端末２２で、ＷＥＢページ表示用のブラウザソフトウェアによって、当該第１基本情報閲覧データが処理され、第２ユーザ端末２２の表示画面上に第１基本情報閲覧画面が表示される（ステップ＃３１２）。ここで、第２ユーザＵ２は、当該第１基本情報閲覧画面上に表示される電力データの基本情報を閲覧できるが、表示される基本情報の件数（第１ユーザＵ１の数）が多いと、個々の基本情報を詳細に検討するのに支障があるため、本実施形態では、第１基本情報閲覧データは、第２ユーザＵ２が、当該第１基本情報閲覧画面上において、複数の属性情報の１または２以上を選択して、これらの属性情報に対して一定の条件でフィルタ処理を行えるように構成されている。第２ユーザＵ２が、最初に送信された第１基本情報閲覧データに対して、当該フィルタ処理を行うと、当該フィルタ処理で設定された条件が、第２ユーザ端末２２から本システム１に送信される（ステップ＃３１３）。データ出力処理部１２が、送信された当該フィルタ処理で設定された条件に基づいて、当該設定された条件に合致した属性情報と、当該基本情報に付されている電力データのデータ識別情報を備えた第１基本情報閲覧データを再作成（ステップ＃１１３）、アクセスした第２ユーザＵ２の第２ユーザ端末２２に送信する（ステップ＃１１４）。第２ユーザ端末２２で、ＷＥＢページ表示用のブラウザソフトウェアによって、当該再作成された第１基本情報閲覧データが処理され、第２ユーザ端末２２の表示画面上に当該フィルタ処理された第１基本情報閲覧画面が表示され、当該一定の条件に合致した属性情報を備えた基本情報だけが選択的に一覧表示される（ステップ＃３１４）。第２ユーザＵ２は、必要に応じて上記フィルタ処理を何回でも繰り返すことができる。
【００６０】
［第２基本情報閲覧データ送信処理］
図４は、第２基本情報閲覧データ送信処理（ステップ＃１２）における、本システム１のデータ出力処理部１２の処理内容と、データ出力処理部１２と第１ユーザ端末２１との間のデータの送受信を、時系列に示すフローチャートである。
【００６１】
第２基本情報閲覧データ送信処理（ステップ＃１２）は、データ出力処理部１２が、データ通信網２０を介して受信した第１ユーザＵ１の閲覧請求に応じて、データ記憶部１４に保存されている全ての第１ユーザＵ１の基本情報、または、複数の属性情報の少なくとも一部に基づいて選別された一部の第１ユーザＵ１の基本情報を含む第２基本情報閲覧データを、当該閲覧請求を行った第１ユーザＵ１の第１ユーザ端末２１に、データ通信網２０を介して送信する処理である。
【００６２】
第２基本情報閲覧データ送信処理（ステップ＃１２）は、第１ユーザＵ１を対象とした処理で、第２ユーザＵ２を対象とする第１基本情報閲覧データ送信処理（ステップ＃１１）に類似する処理内容である。第１基本情報閲覧データ送信処理（ステップ＃１１）は、後述する電力データ送信処理（ステップ＃１３）の前処理として必要であるが、第２基本情報閲覧データ送信処理（ステップ＃１２）は、第１ユーザＵ１の便宜のために提供するもので、任意的な処理内容で、必須の処理内容ではない。
【００６３】
具体的には、先ず、各第１ユーザＵ１が各自の第１ユーザ端末２１から所定のＵＲＬを指定して本システム１にアクセスして、所定のユーザ認証手続き後に、或いは、上記データ入力処理において、ステップ＃２０２で表示された基本情報の作成用画面上から、所定の第２基本情報閲覧用のＷＥＢページにアクセスする（ステップ＃２２１）と、データ出力処理部１２が、アクセス時点までに実行された全てのデータ入力処理でデータ記憶部１４に保存された全ての第１ユーザＵ１の基本情報を、第１ユーザＵ１別に表形式で一覧表示する第２基本情報閲覧データを、一般的なＷＥＢページ表示用のブラウザソフトウェアで表示可能なデータ形式で作成し（ステップ＃１２１）、アクセスした第１ユーザＵ１の第１ユーザ端末２１に送信する（ステップ＃１２２）。第２基本情報閲覧データは、第１基本情報閲覧データと同様に、各基本情報に付されている電力データのデータ識別情報を含んでいてもよい。
【００６４】
第１ユーザ端末２１で、ＷＥＢページ表示用のブラウザソフトウェアによって、当該第２基本情報閲覧データが処理され、第１ユーザ端末２１の表示画面上に第２基本情報閲覧画面が表示される（ステップ＃２２２）。ここで、第１ユーザＵ１は、当該第２基本情報閲覧画面上に表示される電力データの基本情報を閲覧できるが、表示される基本情報の件数（第１ユーザＵ１の数）が多いと、個々の基本情報を詳細に検討するのに支障があるため、本実施形態では、第２基本情報閲覧データは、第１ユーザＵ１が、当該第２基本情報閲覧画面上において、複数の属性情報の１または２以上を選択して、これらの属性情報に対して一定の条件でフィルタ処理を行えるように構成されている。第１ユーザＵ１が、最初に送信された第２基本情報閲覧データに対して、当該フィルタ処理を行うと、当該フィルタ処理で設定された条件が、第１ユーザ端末２１から本システム１に送信される（ステップ＃２２３）。データ出力処理部１２が、送信された当該フィルタ処理で設定された条件に基づいて、当該設定された条件に合致した属性情報と、当該基本情報に付されている電力データのデータ識別情報を備えた第２基本情報閲覧データを再作成し（ステップ＃１２３）、アクセスした第１ユーザＵ１の第１ユーザ端末２１に送信する（ステップ＃１２４）。第１ユーザ端末２１で、ＷＥＢページ表示用のブラウザソフトウェアによって、当該再作成された第２基本情報閲覧データが処理され、第１ユーザ端末２１の表示画面上に当該フィルタ処理された第２基本情報閲覧画面が表示され、当該一定の条件に合致した属性情報を備えた基本情報だけが選択的に一覧表示される（ステップ＃２２４）。第１ユーザＵ１は、必要に応じて上記フィルタ処理を何回でも繰り返すことができる。
【００６５】
本実施形態では、第２基本情報閲覧データは、第１ユーザＵ１が、ステップ＃２２２またはステップ＃２２４で表示された第２基本情報閲覧画面上において、表示されている全ての基本情報、または、第１ユーザＵ１によって選択された一部の基本情報に対して、当該基本情報の属性情報の１つであるデータ提供料金の所定の統計値（本実施形態では、一例として、平均値、最大値、最小値、中央値、最頻値等）を参考値として表示するための表示ボタンが設けられている。
【００６６】
第１ユーザＵ１が、第２基本情報閲覧画面上において、当該参考値の表示ボタンをクリックすると、参考値の表示対象となる基本情報に付されたデータ識別情報とともに、当該第１ユーザＵ１の参考値出力請求が、第１ユーザ端末２１から本システム１に送信される（ステップ＃２２５）。データ出力処理部１２は、参考値出力請求を受信すると、参考値の表示対象となる基本情報のデータ提供料金に対して、予め設定された統計値（例えば、平均値、最大値、最小値）を計算して（ステップ＃１２５）、参考値データとして、参考値出力請求を行った第１ユーザＵ１の第１ユーザ端末２１に送信する（ステップ＃１２６）。第１ユーザ端末２１は、受信した参考値データを処理して、ステップ＃２２２またはステップ＃２２４で表示された第２基本情報閲覧画面上の所定の表示エリアに、受信した参考値データに含まれる上記統計値（例えば、平均値、最大値、最小値）を表示する（ステップ＃２２６）。第１ユーザＵ１は、表示された上記統計値を確認することで、自身が既に設定したデータ提供料金と比較すること、或いは、これから設定しようとするデータ提供料金の参考とすること、等が可能となる。尚、第１ユーザＵ１は、必要に応じて上記参考値出力請求を何回でも繰り返すことができる。
【００６７】
［電力データ送信処理］
図５は、電力データ送信処理（ステップ＃１３）における、本システム１のデータ出力処理部１２の処理内容と、データ出力処理部１２と第２ユーザ端末２２との間のデータの送受信を、時系列に示すフローチャートである。
【００６８】
電力データ送信処理（ステップ＃１３）は、データ出力処理部１２が、データ通信網２０を介して受信した電力データのデータ識別情報と対価の支払いを示す対価データを伴う第２ユーザＵ２のデータ取得請求に応じて、当該データ取得請求に含まれるデータ識別情報に対応する電力データを、データ記憶部１４から読み出して、当該データ取得請求を行った第２ユーザＵ２の第２ユーザ端末２２に、データ通信網２０を介して送信する処理である。
【００６９】
先ず、上述の第１基本情報閲覧データ送信処理（ステップ＃１１）のステップ＃３１２またはステップ＃３１４で第２ユーザ端末２２の表示画面上に、第１基本情報閲覧画面が表示された状態において、第２ユーザＵ２が、電力データの取得を希望する１または複数の基本情報を、当該第１基本情報閲覧画面上において、例えば、表形式で表示されている当該基本情報の各列の右端または左端に設けられたチェックボックス等をクリック等して選択し、電力データの取得を希望する旨の確定ボタンをクリックすると、選択した基本情報に示されたデータ提供料金での電力データの取得に合意したと見做され、第２ユーザ端末２２上で、当該データ提供料金に基づいて計算される対価の支払いを示す対価データと選択した基本情報に付されたデータ識別番号を含むデータ取得請求データが、選択した基本情報毎に作成され、本システム１に送信される（ステップ＃３３１）。
【００７０】
ここで、電力データの構成期間は、１２カ月以上で不定長であるので、デフォルトでは、選択した基本情報に示された電力データの構成期間の全ての電力データの取得に合意したと見做し、対価データの対価は、データ提供料金（１２カ月分の電力データの単価）に、電力データの構成期間の月数を乗じて１２で除することで計算される。一方、第２ユーザＵ２が、基本情報に示された電力データの構成期間が１２カ月を超える場合に、電力データとして直近の１２カ月分のみでよい場合等において、第１ユーザＵ１が、構成期間が１２カ月を超える電力データの直近の１２カ月分のみの提供を許容している場合には、第１基本情報閲覧画面上において、第２ユーザＵ２が当該構成期間を設定可能に、第１基本情報閲覧データを予め作成しておくのが好ましい。従って、第２ユーザＵ２が第１基本情報閲覧画面上において当該構成期間を設定した場合には、データ取得請求データには、基本情報毎の第２ユーザＵ２が設定した電力データの構成期間が含まれ、対価データの対価は、データ提供料金に、第２ユーザＵ２が設定した電力データの構成期間の月数を乗じて１２で除することで計算される。
【００７１】
データ出力処理部１２は、受信した１または複数のデータ取得請求データに含まれるデータ識別番号に対応する１または複数の電力データをデータ記憶部１４から読み出し、当該電力データ含む電力データファイルが作成され（ステップ＃１３１）、データ取得請求を行った第２ユーザＵ２の第２ユーザ端末２２に送信される（ステップ＃１３２）。第２ユーザ端末２２の表示画面上では、ダウンロードされた電力データファイルの受取確認表示が出力され、第２ユーザＵ２が当該受取確認表示に応答すると、電力データファイル中の各電力データが、第２ユーザ端末２２内の所定の記憶領域、または、当該受取確認表示の応答時に指定した記憶領域に保存される（ステップ＃３３２）。尚、第２ユーザＵ２は、必要に応じて上記データ取得請求を何回でも繰り返すことができる。
【００７２】
［対価データ送信処理］
図６は、対価データ送信処理（ステップ＃１４）における、本システム１のデータ出力処理部１２の処理内容と、データ出力処理部１２と第１ユーザ端末２１との間のデータの送受信を、時系列に示すフローチャートである。
【００７３】
対価データ送信処理（ステップ＃１４）は、データ出力処理部１２が、上述の電力データ送信処理（ステップ＃１３）の終了後に、当該電力データ送信処理（ステップ＃１３）で送信した電力データを提供した１または複数の第１ユーザＵ１に対して行う処理で、当該第１ユーザＵ１の各第１ユーザ端末２１に、第２ユーザ端末２２から受信したデータ取得請求データに含まれる対価データを、前記データ通信網を介して送信する処理である。
【００７４】
具体的には、データ出力処理部１２は、上述の電力データ送信処理（ステップ＃１３）のステップ＃１３２で電力データファイルを第２ユーザ端末２２に送信した後に、送信した電力データを提供した１または複数の第１ユーザＵ１の各第１ユーザ端末２１に、当該第１ユーザＵ１に対応したデータ取得請求データに含まれる対価データを、第２ユーザＵ２が電力データの構成期間を変更した場合には当該変更後の構成期間を含めて、送信する（ステップ＃１４１）。当該ステップ＃１４１の送信処理は、例えば、電子メール等により、各第１ユーザＵ１の予め設定された電子メールアドレスに対して行われる。送信した電力データを提供した第１ユーザＵ１が複数の場合は、第１ユーザＵ１別に複数回繰り返し実施される。
【００７５】
各第１ユーザＵ１が、電子メール等で対価データを受信すると（ステップ＃２４１）、当該各第１ユーザＵ１に対し、本システム１に登録した電力データが第２ユーザＵ２に有償提供され、対価データに示された対価が、本システム１上に設定した口座に入金されることが通知される。
【００７６】
［対価移動処理］
図７は、本システム１の対価データ処理部１３が実行する対価移動処理（ステップ＃１５）と、本システム１のデータ出力処理部１２が実行する電力データ送信処理（ステップ＃１３）及び対価データ送信処理（ステップ＃１４）との間の前後関係を示すフローチャートである。
【００７７】
対価データ処理部１３は、電力データ送信処理（ステップ＃１３）の後、データ出力処理部１２が第２ユーザＵ２の第２ユーザ端末２２から受信するデータ取得請求に含まれる対価データに基づいて、口座データベース１５内のデータ取得請求を行った第２ユーザＵ２の口座から、電力データの提供者である第１ユーザＵ１の口座へ、対価データに示されている電力データの取得に係る対価の移動処理を実行する（ステップ＃１５）。
【００７８】
対価移動処理（ステップ＃１５）は、図７（Ａ）に示すように、電力データ送信処理（ステップ＃１３）の後、対価データ送信処理（ステップ＃１４）と並行して実行する場合と、図７（Ｂ）に示すように、電力データ送信処理（ステップ＃１３）の後、対価データ送信処理（ステップ＃１４）の前に実行する場合が、想定される。
【００７９】
［サービス提案送信処理］
図８は、サービス提案送信処理（ステップ＃１６）における、本システム１のデータ出力処理部１２の処理内容と、データ出力処理部１２と第１ユーザ端末２１及び第２ユーザ端末２２との間のデータの送受信を、時系列に示すフローチャートである。サービス提案送信処理（ステップ＃１６）は、第２ユーザＵ２の便宜のために提供するもので、任意的な処理内容で、必須の処理内容ではない。
【００８０】
サービス提案送信処理（ステップ＃１６）は、データ出力処理部１２が、データ通信網２０を介して受信した第２ユーザＵ２のサービス提案請求に応じて、該サービス提案請求に含まれるサービス提案に係る情報を、該サービス提案請求に含まれるデータ識別情報に対応する第１ユーザＵ１の第１ユーザ端末２１に、データ通信網２０を介して送信する処理である。
【００８１】
先ず、上述の第１基本情報閲覧データ送信処理（ステップ＃１１）のステップ＃３１２またはステップ＃３１４で第２ユーザ端末２２の表示画面上に、第１基本情報閲覧画面が表示された状態において、第２ユーザＵ２が、サービス提案を希望する１または複数の第１ユーザＵ１の基本情報を、当該第１基本情報閲覧画面上において、例えば、表形式で表示されている当該基本情報の各列の右端または左端に設けられたチェックボックス等をクリック等して選択し、サービス提案を希望する旨の確定ボタンをクリックすると、第２ユーザ端末２２上で、選択した基本情報に付されている電力データのデータ識別情報を含むサービス提案事前請求データが作成され、本システム１に送信される（ステップ＃３６１）。ここで、本実施形態では、サービス提案を希望する旨の確定ボタンをクリック可能とする条件として、選択した基本情報が、第１基本情報閲覧データ送信処理（ステップ＃１１）のステップ＃３３１で第２ユーザＵ２がデータ取得請求の対象として選択した基本情報に限定される。従って、ステップ＃３６１で選択した基本情報に、ステップ＃３３１で選択した基本情報以外の基本情報が含まれている場合は、第２ユーザ端末２２の表示画面上に当該基本情報を除外する旨の確認メッセージを出力するようにしてもよい。
【００８２】
データ出力処理部１２は、受信したサービス提案事前請求データに含まれる１または複数のデータ識別情報毎に、例えば、サービス提案の種類、サービス提案の内容及び価格、第２ユーザＵ２の名称、所属、担当者、連絡先等、を含む具体的なサービス提案内容を記入するサービス提案記入フォームデータを、一般的なＷＥＢページ表示用のブラウザソフトウェアで表示可能なデータ形式で作成し（ステップ＃１６１）、アクセスした第２ユーザＵ２の第２ユーザ端末２２に送信する（ステップ＃１６２）。
【００８３】
第２ユーザ端末２２で、ＷＥＢページ表示用のブラウザソフトウェアによって、当該サービス提案記入フォームデータが処理され、第２ユーザ端末２２の表示画面上にサービス提案記入フォーム画面が表示される（ステップ＃３６２）。ここで、第２ユーザＵ２は、第２ユーザ端末２２の表示画面上に表示されたサービス提案記入フォーム画面上の１または複数のデータ識別情報毎の入力フォームに、上述の具体的なサービス提案内容を夫々記入して、確認ボタンをクリックすると、第２ユーザ端末２２上でサービス提案請求データが作成され、表示画面上にその確認画面が表示され（ステップ＃３６３）、第２ユーザＵ２が当該確認画面上の送信ボタンをクリックすると、サービス提案請求データが、第２ユーザ端末２２から本システム１に送信される（ステップ＃３６４）。
【００８４】
データ出力処理部１２は、受信したサービス提案請求データに含まれる１または複数のデータ識別情報毎に、各データ識別情報に対応する第１ユーザＵ１の各第１ユーザ端末２１に、サービス提案請求データに含まれる当該第１ユーザＵ１に対応したサービス提案を送信する（ステップ＃１６３）。当該ステップ＃１６３の送信処理は、例えば、電子メール等により、各第１ユーザＵ１の予め設定された電子メールアドレスに対して行われる。各データ識別情報に対応する第１ユーザＵ１が複数の場合は、第１ユーザＵ１別に複数回繰り返し実施される。
【００８５】
各第１ユーザＵ１が、電子メール等でサービス提案を受信すると（ステップ＃２６１）、当該各第１ユーザＵ１に対し、第２ユーザＵ２から各第１ユーザＵ１へのサービス提案が通知される。
【００８６】
第２ユーザＵ２の１または複数の第１ユーザＵ１に対するサービス提案は、第１ユーザＵ１の匿名性が維持された状態で行われる。従って、第１ユーザＵ１は、特定の第２ユーザＵ２に対して自身の電力データを有償提供しただけでは、匿名性が阻害または毀損されることはない。サービス提案を受け取った第１ユーザＵ１が、当該サービス提案の提供を実際に受ける段階で、第２ユーザＵ２に対して必要な個人情報等を開示すればよい。
【００８７】
［別実施態様］
次に、上記実施形態の別実施態様について説明する。
【００８８】
〈１〉上記実施形態では、データ入力処理（ステップ＃１０）において、データ入力処理部１１は、第１ユーザ端末２１から送信された基本情報と電力データファイルを受信すると（ステップ＃１０２）、受信した基本情報と電力データファイルを、共通のデータ識別情報または第１ユーザＵ１のユーザＩＤを付して、データ記憶部１４に保存する（ステップ＃１０３）場合を説明したが、第１ユーザＵ１は、ステップ＃２０１〜＃２０３と同様の処理を経て、新たな基本情報と電力データファイルを送信することで、既に本システム１に送信した基本情報と電力データファイルを更新することができる。この場合、データ入力処理部１１は、ステップ＃１０２〜＃１０３と同様の処理を経て、更新された基本情報と電力データファイルをデータ記憶部１４に保存することができる。
【００８９】
上記の更新処理により、当該更新処理後の第１基本情報閲覧データ送信処理（ステップ＃１１）及び第２基本情報閲覧データ送信処理（ステップ＃１２）では、アクセス時点までに実行された全てのデータ入力処理及び更新処理でデータ記憶部１４に保存された全ての第１ユーザＵ１の基本情報に基づいて、第１基本情報閲覧データ及び第２基本情報閲覧データが夫々作成される。
【００９０】
〈２〉上記実施形態の第２基本情報閲覧データ送信処理（ステップ＃１２）において、データ出力処理部１２が、ステップ＃１２１で作成する第２基本情報閲覧データに、第２基本情報閲覧画面上において表形式で表示されている基本情報の各列に、電力データが第２ユーザに提供された回数を含めるようにするのも好ましい実施態様である。当該回数の表示は、デフォルトでの表示に含めてもよく、また、所定の表示ボタンがクリックされて実行するようにしてもよい。
【００９１】
第２基本情報閲覧画面上において当該回数を確認した第１ユーザＵ１は、当該回数の多寡と、基本情報中の属性情報、特に、データ提供料金との関連性を把握することができる。
【００９２】
〈３〉上記実施形態では、データ提供料金は、データ入力処理（ステップ＃１０）において、第１ユーザＵ１が、属性情報の必須入力項目の１つとして入力し（ステップ＃２０３）、データ入力処理部１１が、受信した基本情報の一部として、データ記憶部１４に保存する（ステップ＃１０３）場合を説明したが、データ提供料金は、第１ユーザＵ１が、個々に設定するのではなく、本システム１の運用上、予め設定された固定料金として扱ってもよい。
【００９３】
〈４〉上記実施形態では、本システム１が、対価移動処理（ステップ＃１５）を行う対価データ処理部１３と口座データベース１５を備える場合を説明したが、対価データ処理部１３を設けず、本システム１のオペレータが、対価移動処理（ステップ＃１５）に相当する処理、または、代替する処理を、上述の電力データ送信処理（ステップ＃１３）が終了した後に、マニュアルで実行するようにしてもよい。この場合、口座データベース１５は、当該マニュアル処理の必要に応じて設ければよく、当該マニュアル処理の処理内容によっては、必ずしも設ける必要はない。
【００９４】
更に、対価データ処理部１３と口座データベース１５を設ける場合であっても、本システム１とは別システムとして、設けるようにしてもよい。
【００９５】
〈５〉上記実施形態では、電力データとして、３０分毎の受電電力量の過去１年以上の時系列データを想定したが、時系列データの時間単位は３０分に限定されるものではなく、３０分より短くても長くてもよい。また、時系列データの構成期間も、１年以上に限定されるものではなく、１年未満の時系列データを許容するようにしてもよい。
【産業上の利用可能性】
【００９６】
本発明は、電力需要家である第１ユーザから電力データの利用者である第２ユーザへの、第１ユーザの商用電力系統から受電した電力量を示す時系列の電力データの有償提供を支援する電力データ仲介システムに利用することができる。
【符号の説明】
【００９７】
１      ：  電力データ仲介システム
１１    ：  データ入力処理部
１２    ：  データ出力処理部
１３    ：  対価データ処理部
１４    ：  データ記憶部
１５    ：  口座データベース
２０    ：  データ通信網（インターネット）
２１    ：  第１ユーザ端末
２２    ：  第２ユーザ端末
Ｕ１    ：  第１ユーザ
Ｕ２    ：  第２ユーザ
【図１】
2019159980.tif 000003
【図２】
2019159980.tif 000004
【図３】
2019159980.tif 000005
【図４】
2019159980.tif 000006
【図５】
2019159980.tif 000007
【図６】
2019159980.tif 000008
【図７】
2019159980.tif 000009
【図８】
2019159980.tif 000010